(57)【要約】【課題】デスクトップパネルを容易に設置したり取り除いたり移動させたりするのを可能とする。【解決手段】本発明のデスクトップパネル５０は、２つの脚部５１と、２つの脚部５１から上方に延びる２つの支柱５２と、２つの支柱５２から横方向に延びる支持部材５３と、支持部材５３に支持されるクロス５５とを備え、天板上に設置して使用される。クロス５５は、支持部材５３を上方から覆うように掛けられて下方に垂れ、２つの支柱５２を覆い隠すように支持部材５３に支持される。【選択図】図４
2020062331.tif 000002
【特許請求の範囲】
【請求項１】
脚部と、
前記脚部から上方に延びる支柱と、
前記支柱から横方向に延びる支持部材と、
前記支持部材に支持されるクロスとを備え、
天板上に設置して使用されることを特徴とするデスクトップパネル。
【請求項２】
前記支持部材は、複数の脚部から上方にそれぞれ延びる複数の支柱を接続することを特徴とする請求項１に記載のデスクトップパネル。
【請求項３】
前記クロスは、前記支持部材を上方から覆うように掛けられて下方に垂れ、前記複数の支柱を覆い隠すように前記支持部材に支持されることを特徴とする請求項２に記載のデスクトップパネル。
【請求項４】
前記脚部は、前記支持部材に支持される前記クロスの幅方向外側に配置されることを特徴とする請求項２または３に記載のデスクトップパネル。
【請求項５】
前記脚部は、前記支持部材に支持される前記クロスと直交する方向に前記支柱から延在し、略コ字形状に下方に開口する下向き開口部を有していることを特徴とする請求項２〜４のいずれかに記載のデスクトップパネル。
【請求項６】
前記脚部が天板に形成された開口を回動動作により開閉する開閉蓋を跨ぐように前記天板の上方に設置された場合に、前記脚部は開閉動作する際の前記開閉蓋と干渉しないように構成されることを特徴とする請求項５に記載のデスクトップパネル。
【請求項７】
前記脚部は、前記開口の縁部に係わって前記開口に落下しないように位置決めされることを特徴とする請求項６に記載のデスクトップパネル。
【請求項８】
前記開口は、前記天板に沿った長さを有し、前記脚部は、前記開口の長手方向に沿って設置位置の変更が可能であることを特徴とする請求項７に記載のデスクトップパネル。
【請求項９】
前記支持部材の下方において前記複数の支柱を接続する補強部材を備え、
上方の前記支持部材と２つの前記支柱と下方の前記補強部材とで矩形の枠形状部をなしており、この枠形状部が前記脚部の下向き開口部よりも上方に位置することを特徴とする請求項５〜８のいずれかに記載のデスクトップパネル。
【請求項１０】
前記支持部材に支持される前記クロスの一部を前記支持部材に対して固定する保持部材を備えることを特徴とする請求項１〜９のいずれかに記載のデスクトップパネル。
【請求項１１】
前記支持部材に支持される前記クロスの下端部近傍に取り付けられたウエイトを備えることを特徴とする請求項１〜１０のいずれかに記載のデスクトップパネル。
【請求項１２】
脚部と、
前記脚部から上方に延びる支柱と、
前記支柱から横方向に延びる支持部材と、
前記支持部材に対してオプション部材を着脱可能に取り付けるための取付部材とを備え、
天板上に設置して使用されることを特徴とするデスクトップパネル。
【発明の詳細な説明】
【技術分野】
【０００１】
本発明は、例えば対向位置に着座する人との間や隣に着座する人との間を仕切るデスクトップパネルに関するものである。
【背景技術】
【０００２】
従来、２つの天板が対向配置されるようにデスクが設置される場合に、２つの天板の間に形成された取り付け部に、パネル本体の両側から垂下する支持杆を上方から差し込むことで、対向位置に着座する人との間を仕切るパネル本体（デスクトップパネル）が取り付けられる場合がある（例えば、特許文献１参照）。
【先行技術文献】
【特許文献】
【０００３】
【特許文献１】特開２０１１−２２４１７２号公報
【発明の概要】
【発明が解決しようとする課題】
【０００４】
複数人が席に着くことのできるテーブルにおいてミーティングを行う場合、互いにコミュニケーションをとる必要があることから、デスクトップパネルがあると邪魔になる。これに対し、ミーティング後に、複数人が個別に作業を進める場合には、他者の動作によって集中力がそがれることがあるため、デスクトップパネルを設け、別の着座者が視界に入らないように必要がある。しかしながら、デスクトップパネルとして、特許文献１のように、パネル本体の両側から垂下する支持杆を取り付け部に上方から差し込むことにより取り付けられるデスクトップパネルを使用した場合、デスクトップパネルを設置したり取り除いたり移動させたりするのが容易でない。
【０００５】
本発明は、上記のような課題を解消することを目的としており、デスクトップパネルを容易に設置したり取り除いたり移動させたりするのを可能とするデスクトップパネルを提供することを目的とするものである。
【課題を解決するための手段】
【０００６】
本発明は、かかる目的を達成するために、次のような手段を講じたものである。
【０００７】
本発明に係るデスクトップパネルは、脚部と、前記脚部から上方に延びる支柱と、前記支柱から横方向に延びる支持部材と、前記支持部材に支持されるクロスとを備え、天板上に設置して使用されることを特徴とする。
【０００８】
このように構成することにより、例えば複数人が席に着くことのできる天板付家具において、必要に応じて、デスクトップパネルを設置したり取り除いたり移動させたりするのを容易に行うことが可能となる。また、仕切り板として、従来のようなパネル本体を使用しないでクロスを使用することにより、デスクトップパネルの軽量化が可能であると共に、特有の風合いを持つものや斬新な模様が描かれたもの等、種々のバリエーションを有するデスクトップパネルを提供することが可能である。
【０００９】
本発明に係るデスクトップパネルにおいて、前記支持部材は、複数の脚部から上方にそれぞれ延びる複数の支柱を接続することを特徴とする。
【００１０】
このように構成することにより、クロスが複数の支柱を接続する支持部材により支持されることから、クロスの幅を大きくすることが可能となる。
【００１１】
本発明に係るデスクトップパネルにおいて、前記クロスは、前記支持部材を上方から覆うように掛けられて下方に垂れ、前記複数の支柱を覆い隠すように前記支持部材に支持されることを特徴とする。
【００１２】
このように構成することにより、クロスを支持部材に掛けるだけで容易に仕切ることが可能となると共に、クロスを支持部材から取り外すことにより容易に仕切りを取り除くことが可能となる。
【００１３】
本発明に係るデスクトップパネルにおいて、前記脚部は、前記支持部材に支持される前記クロスの幅方向外側に配置される。
【００１４】
このように構成することにより、支持部材に支持されるクロスの下端部が脚部に干渉するのを抑制できる。
【００１５】
本発明に係るデスクトップパネルにおいて、前記脚部は、前記支持部材に支持される前記クロスと直交する方向に前記支柱から延在し、略コ字形状に下方に開口する下向き開口部を有していることを特徴とする。
【００１６】
このように構成することにより、例えば天板に形成された開口を跨いだ状態で、デスクトップパネルを設置することが可能となる。
【００１７】
本発明に係るデスクトップパネルにおいて、前記脚部が天板に形成された開口を回動動作により開閉する開閉蓋を跨ぐように前記天板の上方に設置された場合に、前記脚部は開閉動作する際の前記開閉蓋と干渉しないように構成されることを特徴とする。
【００１８】
このように構成することにより、天板に形成された開口を開閉する開閉蓋を跨いだ状態でデスクトップパネルを設置した場合に、デスクトップパネルを移動させなくても、開閉蓋を開閉することが可能となる。
【００１９】
本発明に係るデスクトップパネルにおいて、前記脚部は、前記開口の縁部に係わって前記開口に落下しないように位置決めされることを特徴とする。
【００２０】
このように構成することにより、天板に形成された開口を跨いだ状態でデスクトップパネルを設置した場合に、デスクトップパネルの脚部が開口内に脱落するのを防止できる。
【００２１】
本発明に係るデスクトップパネルにおいて、前記開口は、前記天板に沿った長さを有し、前記脚部は、前記開口の長手方向に沿って設置位置の変更が可能であることを特徴とする。
【００２２】
このように構成することにより、天板に形成された開口を跨いだ状態でデスクトップパネルを設置した場合に、デスクトップパネルを開口の長手方向に沿って容易に移動させることが可能である。
【００２３】
本発明に係るデスクトップパネルにおいて、前記支持部材の下方において前記複数の支柱を接続する補強部材を備え、上方の前記支持部材と２つの前記支柱と下方の前記補強部材とで矩形の枠形状部をなしており、この枠形状部が前記脚部の下向き開口部よりも上方に位置することを特徴とする
【００２４】
このように構成することにより、支持部材に支持されるクロスの枠形状部を覆う部分が脚部に干渉するのが抑制される。
【００２５】
本発明に係るデスクトップパネルにおいて、前記支持部材に支持される前記クロスの一部を前記支持部材に対して固定する保持部材を備えることを特徴とする。
【００２６】
このように構成することにより、クロスの一部を支持部材に固定することが可能となり、クロスが支持部材から落下するのを防止できる。
【００２７】
本発明に係るデスクトップパネルにおいて、前記支持部材に支持される前記クロスの下端部近傍に取り付けられたウエイトを備えることを特徴とする。
【００２８】
このように構成することにより、クロスが張った状態で支持部材に支持されるようになる。
【００２９】
本発明に係るデスクトップパネルは、脚部と、前記脚部から上方に延びる支柱と、前記支柱から横方向に延びる支持部材と、前記支持部材に対してオプション部材を着脱可能に取り付けるための取付部材とを備え、天板上に設置して使用されることを特徴とする。
【００３０】
このように構成することにより、オプション部材として仕切部材を使用することで、例えば複数人が席に着くことのできる天板付家具において、必要に応じて、デスクトップパネルを設置したり取り除いたり移動させたりするのを容易に行うことが可能となる。
【発明の効果】
【００３１】
本発明は、以上説明した構成であるから、例えば複数人が席に着くことのできる天板付家具において、必要に応じて、デスクトップパネルを設置したり取り除いたり移動させたりするのを容易に行うことが可能となる。
【図面の簡単な説明】
【００３２】
【図１】本発明の第１実施形態に係るデスクトップパネル５０が設置された天板付家具Ｔの斜視図である。
【図２】図１の天板付家具Ｔの正面図である。
【図３】図１の天板付家具Ｔの側面図である。
【図４】図１のデスクトップパネル５０の斜視図である。
【図５】図５（ａ）〜図５（ｃ）は、デスクトップパネル５０の正面図、平面図、側面図である。
【図６】図６（ａ）〜図６（ｃ）は、クロス５５が掛けられてないデスクトップパネル５０の正面図、平面図、側面図である。
【図７】図７（ａ）〜図７（ｂ）は、保持部材５６の正面図、側面図であり、図７（ｃ）は、保持部材５６が支持部材５３の端部に取り付けられた状を示す図である。
【図８】図１のＡ１−Ａ１線における断面図である。
【図９】本発明の第２実施形態に係るデスクトップパネル１５０が設置された天板付家具Ｔの斜視図である。
【図１０】図９のデスクトップパネル１５０の斜視図である。
【図１１】図９のＡ２−Ａ２線における断面図である。
【図１２】本発明の第３実施形態に係るデスクトップパネル２５０の斜視図である。
【図１３】図１２のデスクトップパネル２５０の脚部２５１の拡大図である。
【図１４】図１２のデスクトップパネル２５０が設置された天板付家具Ｔの断面図である。
【図１５】本発明の第１実施形態に係るデスクトップパネル５０の設置方法の変形例を示す図である。
【図１６】本発明の第１実施形態に係るデスクトップパネル５０の設置方法の変形例を示す図である。
【発明を実施するための形態】
【００３３】
以下、本発明の実施形態を、図面を参照して説明する。
【００３４】
（第１実施形態）
本実施形態の天板付家具Ｔは、例えばオフィスや会議室にて好適に使用され得るものである。天板付家具Ｔは、床面から立設される脚体１と、この脚体１に下方から支持された複数の天板要素２ａからなる天板２と、この天板２に取り付けられ、使用者が天板２上にて使用する電子機器を好適に使用し得るように電源等の各種ケーブルを案内するための配線誘導機構３とを有している。
【００３５】
脚体１は、両側端に設けられ平面視天板２の隅部分に配されることで安定して天板２を支持するための端部脚１１と、これら両端部脚１１間に介在し、天板２の短寸方向中央に位置付けられることで使用者の足の動きに干渉し難い構成を有する中間脚１２と、これら端部脚１１及び中間脚１２に固定され且つ天板２を下方より支持する天板支持体１３とを有している。
【００３６】
端部脚１１は、平面視天板２の隅部近傍にて床面に接地するアジャスタ１１ａと、このアジャスタ１１ａから立ち上がる脚本体１１ｂとを有している。この脚本体１１ｂは、例えばアルミダイキャスト等によって成形され、床面から若干斜め上方向に立ち上がりつつ上端が天板２の下面に固定される。
【００３７】
中間脚１２は、平面視天板２の短寸方向中央付近において四箇所に設けられたアジャスタ１２ａと、このアジャスタ１２ａから直上へ立設された四角筒状をなす筒状体１２ｂとを有している。
【００３８】
天板２は、短寸方向に付き合わされた状態で固定された２枚の天板要素２ａ同士を、更に長手方向に連結することによって構成されている。その結果、長手方向の縁部をそれぞれ使用縁とすることで使用者同士が向かい合って執務やミーティングを行い得るようにする態様が実現されている。短寸方向に付き合わされた状態で固定された２枚の天板要素２ａ同士は、所定の間隔を空けて連結されている。したがって、天板２は、その長手方向の全域にわたって形成された開口５を有している。開口５は、天板２の長手方向に沿った長さを有している。
【００３９】
配線誘導機構３は、天板要素２ａの間に形成された開口５内に設けられ、天板２の短寸方向中央且つ長手方向全域に亘って配線を案内し誘導すべく設けられたものである。配線誘導機構３は、開口５を開閉するための開閉蓋３ａと、天板２の長手方向全域に亘って配線を載置し案内するための樋状をなす配線ダクト３ｂとを有している。
【００４０】
開閉蓋３ａが閉状態である場合、開閉蓋３ａの上面が、２枚の天板要素２ａの上面と略面一となる。開閉蓋３ａの幅は開口５の幅より小さいことから、開閉蓋３ａの端部と開口５の縁部との間には、隙間が形成される。開閉蓋３ａは、天板２に対して回動することにより開口５を開閉可能に構成される。詳細には、使用者が天板２の長手方向の縁部に向かい合った状態において、どちらからも開閉可能なように両開き構造となっている。したがって、開閉蓋３ａを開状態とすることにより、配線ダクト３ｂの上方を開閉可能に構成されている。
【００４１】
図１〜図３に示すように、天板付家具Ｔの天板２上には、２つのデスクトップパネル５０が設置されている。２つのデスクトップパネル５０は、天板２の短寸方向中央において天板２の長手方向に離れた状態で設置される。
【００４２】
デスクトップパネル５０は、図４〜図６に示すように、２つの脚部５１と、２つの脚部５１から上方にそれぞれ延びる２つの支柱５２と、２つの支柱５２の上端から横方向にそれぞれ延びる支持部材５３と、２つの支柱５２の下端近傍から横方向にそれぞれ延びる補強部材５４と、支持部材５３により下方に垂れるように支持されるクロス５５とを備える。
【００４３】
２つの脚部５１は、デスクトップパネル５０の長手方向両端に配置される。２つの脚部５１は、それぞれ、デスクトップパネル５０の正面側（支持部材５３に支持されるクロス５５の正面側）に配置される正面側脚部５１ａと、デスクトップパネル５０の背面側（支持部材５３に支持されるクロス５５の背面側）に配置される背面側脚部５１ｂとを有している。なお、本実施形態のデスクトップパネル５０は、正面側と背面側とは対称に構成されているが、説明上、デスクトップパネル５０の正面側と背面側とに区別して説明する。
【００４４】
正面側脚部５１ａ及び背面側脚部５１ｂは、支柱５２から正面側及び背面側に向かってそれぞれ延在している。したがって、クロス５５が支持部材５３に掛けられた状態では、正面側脚部５１ａ及び背面側脚部５１ｂは、支持部材５３に支持されるクロス５５と直交する方向に支柱５２からそれぞれ延在している。詳細には、正面側脚部５１ａ及び背面側脚部５１ｂは、それぞれ、支柱５２の下端部から、略水平方向に延びた後、下方に湾曲して、略鉛直下方に延びるように形成される。したがって、脚部５１は、正面側脚部５１ａ及び背面側脚部５１ｂにより、略コ字形状に下方に開口する下向き開口部５１Ａを有しており、デスクトップパネル５０が天板付家具Ｔの天板２上に設置されると、正面側脚部５１ａと背面側脚部５１ｂとは、天板２上の離れた部分にそれぞれ接触する。本実施形態では、デスクトップパネル５０は、開口５を開閉する開閉蓋３ａを跨ぐように設置されているが、脚部５１が下方に開口する略コ字形状に形成されることにより、正面側脚部５１ａ及び背面側脚部５１ｂは、開閉蓋３ａが開口５を開閉動作する際の開閉蓋３ａの軌道の外側に配置される。
【００４５】
２つの支柱５２は、デスクトップパネル５０の両端において、支持部材５３及び補強部材５４を挟んで対向するように配置される。２つの支柱５２は、略鉛直方向に延びる鉛直部５２ａと、鉛直部５２ａの上方に配置される上湾曲部５２ｂと、鉛直部５２ａの下方に配置される下湾曲部５２ｃとをそれぞれ有している。
【００４６】
支柱５２の上端において、上湾曲部５２ｂは、鉛直部５２ａの上端から上方斜め外側に（他方の支柱５２から離れる方向に）湾曲しており、その先端に支持部材５３が接続される。したがって、支持部材５３の端部は、２つの支柱５２の鉛直部５２ａより幅方向外側に配置される。
【００４７】
また、支柱５２の下端において、下湾曲部５２ｃは、鉛直部５２ａの下端から下方斜め外側に（他方の支柱５２から離れる方向に）湾曲しており、その下端に脚部５１が接続される。即ち、湾曲部５２ｃの下端は、脚部５１における正面側脚部５１ａと背面側脚部５１ｂとの接続部分が接続される。したがって、２つの脚部５１は、２つの支柱５２の幅方向外側に配置される。
【００４８】
また、支柱５２の下湾曲部５２ｃは、支柱５２の上湾曲部５２ｂより長尺に形成されており、２つの脚部５１は、支持部材５３の幅方向外側に配置される。したがって、支持部材５３の長さと略同一の幅のクロス５５が、支持部材５３に掛けられたとしても、クロス５５が２つの脚部５１に干渉しない。
【００４９】
支持部材５３は、円形の断面形状を有する長尺部材であり、その両端部は、２つの支柱５２の上端に接続される。支持部材５３は、上方から掛けられたクロス５５を支持するものである。支持部材５３の両端部は、保持部材５６が着脱可能にそれぞれ構成される。保持部材５６は、クロス５５の幅方向端部を支持部材５３の端部に固定するための部材である。したがって、支持部材５３の両端面には、保持部材５６が取り付けられる凹部５３ａが形成されている。
【００５０】
保持部材５６は、図７に示すように、本体部５６ａと、本体部５６ａから突出した突出部５６ｂと、本体部５６ａの上端から延在した板状部５６ｃとを有している。突出部５６ｂは、略円柱状であり、支持部在５３の端面に形成された凹部５３ａに嵌合可能である。板状部５６ｃは、保持部材５６が支持部材５３の端部に取り付けられた状態において、支持部材５３に掛けられたクロス５５を上方から抑えるためのものである。したがって、クロス５５が支持部材５３に掛けられた状態において、保持部材５６が、その突出部５６ｂが支持部材５３の凹部５３ａに嵌合されるように支持部材５３の端部に取り付けられると、クロス５５の幅方向端部が、保持部材５６の板状部５６と支持部材５３との間で挟持される。このように、保持部材５６は、クロス５５の幅方向端部を支持部材５３との間で挟持するように、支持部材５３の端部に取り付け可能に構成される。
【００５１】
補強部材５４は、円形の断面形状を有する長尺部材であり、その端部は、２つの支柱５２の下端近傍に接続される。補強部材５４は、支持部材５３と略平行に配置され、支持部材５３の下方において、２つの支柱５２を接続している。したがって、上方の支持部材５３と、２つの支柱５２と、下方の補強部材５４とで、矩形の枠形状部５０Ａをなしており、この枠形状部５０Ａは、脚部５１の下向き開口部５１Ａよりも上方に位置する。
【００５２】
クロス５５は、例えば布などの長方形状の部材であり、デスクトップパネル５０のパネルに対応する部材である。クロス５５は、支持部材５３を上方から覆うように掛けられて下方に垂れ、２つの支柱５２を覆い隠すように支持部材５３に支持される。即ち、クロス５５が、支持部材５３に掛けられることにより、クロス５５の正面側部分５５ａと、クロス５５の背面側部分５５ｂとを構成する。クロス５５の正面側部分５５ａ及び背面側部分５５ｂの下端部近傍には、長尺のウエイト５５ａがクロス５５の下端部に沿ってそれぞれ取り付けられている。したがって、クロス５５は、支持部材５３に掛けられると張った状態に維持される。支持部材５３に支持されるクロス５５の下端部は、補強部材５４より下方に配置される。このとき、２つの脚部５１は、支持部材５３に支持されるクロス５５の幅方向外側にそれぞれ配置される。
【００５３】
上述したように、デスクトップパネル５０は、正面側脚部５１ａと背面側脚部５１ｂとを有しており、図１に示すように、天板付家具Ｔの天板２に形成された開口５を回動動作により開閉する開閉蓋３ａの上方に設置可能である。したがって、正面側脚部５１ａは、開閉蓋３ａより正面側で天板２と接触し、且つ、背面側脚部５１ｂは、開閉蓋３ａより背面側で天板２と接触することにより、デスクトップパネル５０が、開口５を開閉する開閉蓋３ａを跨ぐように設置可能である。
【００５４】
開閉蓋３ａは、天板２に対して回動することにより開口５を開閉するものであるが、図８に示すように、正面側脚部５１ａと背面側脚部５１ｂとの間には、略コ字形状に下方に開口する下向き開口部５１Ａが形成されており、正面側脚部５１ａの下端と背面側脚部５１ｂの下端とは、開口５の幅より広い間隔離れて配置される。また、正面側脚部５１ａ及び背面側脚部５１ｂは、開閉蓋３ａが開口５を開閉動作する際の開閉蓋３ａの軌道の外側に配置され、開口５を開閉動作する際の開閉蓋３ａと干渉しないように構成される。
【００５５】
以上説明したように、本実施形態のデスクトップパネル５０は、脚部５１と、脚部５１から上方に延びる支柱５２と、支柱５２から横方向に延びる支持部材５３と、支持部材５３に支持されるクロス５５とを備え、天板２上に設置して使用される。
【００５６】
このように構成することにより、例えば複数人が席に着くことのできる天板付家具Ｔにおいて、必要に応じて、デスクトップパネル５０を設置したり取り除いたり移動させたりするのを容易に行うことが可能となる。また、仕切り板として、従来のようなパネル本体を使用しないでクロス５５を使用することにより、デスクトップパネル５０の軽量化が可能であると共に、特有の風合いを持つものや斬新な模様が描かれたもの等、種々のバリエーションを有するデスクトップパネル５０を提供することが可能である。
【００５７】
本実施形態のデスクトップパネル５０において、支持部材５３は、２つの脚部５１から上方にそれぞれ延びる２つの支柱５２を接続する。
【００５８】
このように構成することにより、クロス５５が２つの支柱５２を接続する支持部材５３により支持されることから、クロス５５の幅を大きくすることが可能となる。
【００５９】
本実施形態のデスクトップパネル５０において、クロス５５は、支持部材５３を上方から覆うように掛けられて下方に垂れ、２つの支柱５２を覆い隠すように支持部材５３に支持される。
【００６０】
このように構成することにより、クロス５５を支持部材５３に掛けるだけで容易に仕切ることが可能となると共に、クロス５５を支持部材５３から取り外すことにより容易に仕切りを取り除くことが可能となる。
【００６１】
本実施形態のデスクトップパネル５０において、２つの脚部５１は、支持部材５３に支持されるクロス５５の幅方向外側に配置される。
【００６２】
このように構成することにより、支持部材５３に支持されるクロス５５の下端部が脚部５１に干渉するのを抑制できる。
【００６３】
本実施形態のデスクトップパネル５０において、脚部５１は、支持部材５３に支持されるクロス５５と直交する方向に支柱５２から延在し、略コ字形状に下方に開口する下向き開口部５１Ａを有している。
【００６４】
このように構成することにより、例えば天板２に形成された開口５を跨いだ状態で、デスクトップパネル５０を設置することが可能となる。
【００６５】
本実施形態のデスクトップパネル５０において、脚部５１が天板２に形成された開口５を回動動作により開閉する開閉蓋３ａを跨ぐように天板２の上方に設置された場合に、脚部５１は、開閉動作する際の開閉蓋３ａと干渉しないように構成される。
【００６６】
このように構成することにより、天板２に形成された開口５を開閉する開閉蓋３ａを跨いだ状態でデスクトップパネル５０を設置した場合に、デスクトップパネル５０を移動させなくても、開閉蓋３ａを開閉することが可能となる。
【００６７】
本実施形態のデスクトップパネル５０において、支持部材５３の下方において２つの支柱５２を接続する補強部材５４を備え、上方の支持部材５３と２つの支柱５２と下方の補強部材５４とで矩形の枠形状部５０Ａをなしており、この枠形状部５０Ａが脚部５１の下向き開口部５１Ａよりも上方に位置することを特徴とする。
【００６８】
このように構成することにより、支持部材５３に支持されるクロス５５の枠形状部５０Ａを覆う部分が、脚部５１に干渉するのが抑制される。
【００６９】
本実施形態のデスクトップパネル５０において、支持部材５３に支持されるクロス５５の端部を支持部材５３に対して固定する保持部材５６を備える。
【００７０】
このように構成することにより、クロス５５の端部を支持部材５３に固定することが可能となり、クロス５５が支持部材５３から落下するのを防止できる。
【００７１】
本実施形態のデスクトップパネル５０において、支持部材５３に支持されるクロス５５の下端部近傍に取り付けられたウエイト５６を備える。
【００７２】
このように構成することにより、クロス５５が張った状態で支持部材５３に支持されるようになる。
【００７３】
（第２実施形態）
本実施形態のデスクトップパネル１５０が、第１実施形態のデスクトップパネル５０と異なる点は、第１実施形態では、デスクトップパネル５０が開口５の縁部に係止されない状態で天板２上に設置されるのに対し、本実施形態では、デスクトップパネル１５０が開口５の縁部に係止された状態で天板２上に設置される点である。本実施形態のデスクトップパネル１５０において、第１実施形態のデスクトップパネル５０と同様である構成については説明を省略する。
【００７４】
デスクトップパネル１５０は、天板付家具Ｔの天板２に形成された開口５を開閉する開閉蓋３ａを跨いだ状態で設置される。
【００７５】
２つの脚部１５１は、デスクトップパネル１５０の長手方向両端に配置される。２つの脚部１５１は、それぞれ、デスクトップパネル１５０の正面側（支持部材５３に支持されるクロス５５の正面側）に配置される正面側脚部１５１ａと、デスクトップパネル１５０の背面側（支持部材５３に支持されるクロス５５の背面側）に配置される背面側脚部１５１ｂとを有している。したがって、クロス５５が支持部材５３に掛けられた状態では、正面側脚部１５１ａ及び背面側脚部１５１ｂは、支持部材５３に支持されるクロス５５と直交する方向に支柱５２からそれぞれ延在している。したがって、脚部１５１は、正面側脚部１５１ａ及び背面側脚部１５１ｂにより、略コ字形状に下方に開口する下向き開口部１５１Ａを有しており、デスクトップパネル１５０が天板付家具Ｔの天板２上に設置されると、正面側脚部１５１ａと背面側脚部１５１ｂとは、天板２上の離れた部分にそれぞれ接触する。
【００７６】
正面側脚部１５１ａは、図１０及び図１１に示すように、開口５の正面側縁部５ａに係止される正面側係止部１６１ａを有している。正面側係止部１６１ａは、正面側脚部１５１ａの下端から水平方向に延びた水平部１６２ａと、水平部１６２ａの先端から下方に垂直に延びた垂直部１６３ａとを有している。背面側脚部１５１ｂは、開口５の背面側縁部５ｂに係止される背面側係止部１６１ｂを有している。背面側係止部１６１ｂは、背面側脚部１５１ｂの下端から水平方向に延びた水平部１６２ｂと、水平部１６２ｂの先端から下方に垂直に延びた垂直部１６３ｂとを有している。
【００７７】
したがって、デスクトップパネル１５０が、天板２に形成された開口５を跨いだ状態で設置された際に、正面側脚部１５１ａの正面側係止部１６１ａについては、水平部１６２ａが、天板２の上面に沿って配置され、垂直部１６３ａが、開口５の正面側縁部５ａの内面に沿って配置される。背面側脚部１５１ｂの背面側係止部１６１ｂについては、水平部１６２ｂが、天板２の上面に沿って配置され、垂直部１６３ｂが、開口５の背面側縁部５ｂの内面に沿って配置される。そのため、正面側脚部１５１ａが、開口５の正面側縁部５ａに係止されると共に、背面側脚部１５１ｂが、開口５の背面側縁部５ｂに係止される。正面側係止部１６１ａの垂直部１６３ａの外面と、背面側係止部１６１ｂの垂直部１６３ｂの外面との距離は、開口５の幅と略同一である。したがって、天板２に形成された開口５を跨いだ状態で設置されたデスクトップパネル１５０は、天板２の短辺方向について位置決めされる。
【００７８】
このように、デスクトップパネル１５０は、天板２に形成された開口５の正面側縁部５ａ及び背面側縁部５ｂに係止された状態で、開口５を開閉する開閉蓋３ａを跨いだ状態で天板２上に設置されると、デスクトップパネル１５０は、天板２の短辺方向（開口５の長手方向に垂直な方向）に移動しないように規制される。これに対し、正面側係止部１６１ａの垂直部１６３ａは、開口５の正面側縁部５ａに沿って移動可能、且つ、背面側係止部１６１ｂの垂直部１６３は、開口５の背面側縁部５ｂに沿って移動可能であり、デスクトップパネル１５０は、天板２の長手方向（開口５の長手方向に沿った方向）に移動可能に構成される。
【００７９】
以上説明したように、第１実施形態と同様の効果が得られる。
【００８０】
本実施形態のデスクトップパネル１５０において、脚部１５１は、天板２に形成された開口５の縁部５ａ、５ｂに係わって開口５に落下しないように位置決めされる。
【００８１】
このように構成することにより、天板２に形成された開口５を跨いだ状態でデスクトップパネル１５０を設置した場合に、デスクトップパネル１５０の脚部１５１が開口５内に脱落するのを防止できる。
【００８２】
本実施形態のデスクトップパネル１５０において、開口５は、天板２に沿った長さを有し、脚部１５１は、開口５の長手方向に沿って設置位置の変更が可能である。
【００８３】
このように構成することにより、天板２に形成された開口５を跨いだ状態でデスクトップパネル１５０を設置した場合に、デスクトップパネル１５０を開口５の長手方向に沿って容易に移動させることが可能である。
【００８４】
（第３実施形態）
本実施形態のデスクトップパネル２５０が、第１実施形態のデスクトップパネル５０と異なる点は、第１実施形態では、デスクトップパネル５０が開口５の縁部に係止されない状態で天板２上に設置されるのに対し、本実施形態では、デスクトップパネル２５０が開口５の縁部に係止された状態で天板２上に設置される点である。本実施形態のデスクトップパネル２５０において、第１実施形態のデスクトップパネル５０と同様である構成については説明を省略する。
【００８５】
デスクトップパネル２５０は、天板付家具Ｔの天板２に形成された開口５を開閉する開閉蓋３ａを跨いだ状態で設置される。
【００８６】
２つの脚部２５１は、デスクトップパネル２５０の長手方向両端に配置される。２つの脚部２５１は、それぞれ、デスクトップパネル２５０の正面側（支持部材５３に支持されるクロス２５５ａの正面側）に配置される正面側脚部２５１ａと、デスクトップパネル２５０の背面側（支持部材５３に支持されるクロス２５５ａの背面側）に配置される背面側脚部２５１ｂとを有している。したがって、クロス２５５ａが支持部材５３に掛けられた状態では、正面側脚部２５１ａ及び背面側脚部２５１ｂは、支持部材５３に支持されるクロス２５５ａと直交する方向に支柱５２からそれぞれ延在している。したがって、脚部２５１は、正面側脚部２５１ａ及び背面側脚部２５１ｂにより、略コ字形状に下方に開口する下向き開口部２５１Ａを有しており、デスクトップパネル２５０が天板付家具Ｔの天板２上に設置されると、正面側脚部２５１ａと背面側脚部２５１ｂとは、天板２上の離れた部分にそれぞれ接触する。
【００８７】
正面側脚部２５１ａは、図１２及び図１３に示すように、開口５の正面側縁部５ａに係止される正面側係止部２６１ａを有している。正面側係止部２６１ａは、正面側脚部２５１ａの下端の外側面に形成された凹部２６２ａを有している。凹部２６２ａの高さは、天板２の厚さと略同一である。背面側脚部２５１ｂは、開口５の背面側縁部５ｂに係止される背面側係止部２６１ｂを有している。背面側係止部２６１ｂは、背面側脚部１５１ｂの下端の外側面に形成された凹部２６２ｂを有している。凹部２６２ｂの高さは、天板２の厚さと略同一である。
【００８８】
したがって、デスクトップパネル２５０が、天板２に形成された開口５を跨いだ状態で設置された際に、正面側脚部２５１ａの正面側係止部２６１ａについては、開口５の正面側縁部５ａが凹部２６２ａに嵌合し、凹部２６２ａの底面が開口５の正面側縁部５ａの内面に沿って配置される。背面側脚部１５１ｂの背面側係止部１６１ｂについては、開口５の背面側縁部５ｂが凹部２６２ｂに嵌合し、凹部２６２ｂの底面が開口５の背面側縁部５ｂの内面に沿って配置される。そのため、正面側脚部２５１ａが、開口５の正面側縁部５ａに係止されると共に、背面側脚部２５１ｂが、開口５の背面側縁部５ｂに係止される。正面側係止部２６１ａの凹部２６２ａの底面と、背面側係止部１６１ｂの凹部２６２ｂの底面との距離は、開口５の幅と略同一である。したがって、天板２に形成された開口５を跨いだ状態で設置されたデスクトップパネル２５０は、天板２の短辺方向について位置決めされる。
【００８９】
このように、デスクトップパネル２５０は、天板２に形成された開口５の正面側縁部５ａ及び背面側縁部５ｂに係止された状態で、開口５を開閉する開閉蓋３ａを跨いだ状態で天板２上に設置されると、デスクトップパネル２５０は、天板２の短辺方向（開口５の長手方向に垂直な方向）に移動しないように規制される。これに対し、正面側係止部２６１ａの凹部２６２ａは、開口５の正面側縁部５ａに沿って移動可能、且つ、背面側係止部１６１ｂの凹部２６２ｂは、開口５の背面側縁部５ｂに沿って移動可能であり、デスクトップパネル２５０は、天板２の長手方向（開口５の長手方向に沿った方向）に移動可能に構成される。
【００９０】
本実施形態のデスクトップパネル２５０では、クロス２５５ａの幅が２つの支柱５２間の距離より短い。したがって、クロス２５５ａは、支持部材５３の左側部分のみを上方から覆うように掛けられて下方に垂れる。支持部材５３に支持されるクロス２５５ａの下端部は、補強部材５４と略同一の高さに配置される。
【００９１】
また、デスクトップパネル２５０では、２つの支柱５２間において、支持部材５３の右側部分には、オプション部材としてのホワイトボード２５５ｂが取り付けられている。ホワイトボード２５５ｂは、支持部材５３に対して、２つの取付部材２５６により着脱可能に取り付けられている。即ち、取付部材２５６の下端部が、ホワイトボード２５５ｂの上部両端にそれぞれ形成された穴部２５５ｂａに掛けられると共に、取付部材２５６の上端部が、支持部材５３に掛けられる。
【００９２】
このように、クロス２５５ａ及びホワイトボード２５５ｂは、２つの支柱５２間において、支持部材５３より下方且つ補強部材５４より上方の領域の略全域に配置される。したがって、クロス２５５ａ及びホワイトボード２５５ｂは、デスクトップパネル２５０のパネルに対応する部分（仕切部材）である。また、デスクトップパネル２５０の補強部材５４には、取付部材２５８が掛けられている。取付部材２５８は、その下端部に形成された引掛部２５８ａを有しており、補強部材５４に対して取付部材２５８により物を引掛けることができる。
【００９３】
以上説明したように、第１実施形態と同様の効果が得られる。
【００９４】
本実施形態のデスクトップパネル２５０において、脚部２５１は、天板２に形成された開口５の縁部５ａ、５ｂに係わって開口５に落下しないように位置決めされる。
【００９５】
このように構成することにより、天板２に形成された開口５を跨いだ状態でデスクトップパネル２５０を設置した場合に、デスクトップパネル２５０の脚部２５１が開口５内に脱落するのを防止できる。
【００９６】
本実施形態のデスクトップパネル２５０において、開口５は、天板２に沿った長さを有し、脚部２５１は、開口５の長手方向に沿って設置位置の変更が可能である。
【００９７】
このように構成することにより、天板２に形成された開口５を跨いだ状態でデスクトップパネル２５０を設置した場合に、デスクトップパネル２５０を開口５の長手方向に沿って容易に移動させることが可能である。
【００９８】
以上、本発明の実施形態について説明したが、各部の具体的な構成は、上述した実施形態のみに限定されるものではなく、本発明の趣旨を逸脱しない範囲で種々変形が可能である。
【００９９】
上記実施形態では、２つの脚部５１、１５１、２５１と、２つの脚部５１、１５１、２５１から上方にそれぞれ延びる２つの支柱５２と、２つの支柱５２を接続する支持部材５３とを備えるデスクトップパネル５０、１５０、２５０を説明したが、脚部、支柱及び支持部材の数は、これに限られない。上記実施形態では、２つの脚部５１、１５１が、支持部材５３に支持されるクロス５５の幅方向外側に配置されるが、２つの脚部５１、１５１は、支持部材５３に支持されるクロス５５の幅方向内側、または、支持部材５３に支持されるクロス５５の幅方向端部と幅方向について同一位置に配置されてよい。
【０１００】
上記実施形態では、２つの脚部５１、１５１、２５１が、２つの支柱５２の幅方向外側に配置されるが、２つの脚部５１、１５１、２５１は、２つの支柱５２の幅方向内側、または、２つの支柱５２と幅方向について同一位置に配置されてよい。上記実施形態では、２つの脚部５１、１５１、２５１が、支持部材５３の幅方向外側に配置されるが、２つの脚部５１、１５１、２５１は、支持部材５３の幅方向内側、または、支持部材５３と幅方向について同一位置に配置されてよい。
【０１０１】
上記実施形態では、２つの支柱５２が、鉛直方向に延びる鉛直部５２ａをそれぞれ有しており、支持部材５３の端部は、２つの支柱５２における鉛直部５２ａより幅方向外側に配置されるが、支持部材５３の端部は、２つの支柱５２における鉛直部５２ａより幅方向内側、または、２つの支柱５２における鉛直部５２ａと幅方向について同一位置に配置されてよい。
【０１０２】
上記実施形態では、２つの脚部５１、１５１、２５１が、支持部材５３に支持されるクロス５５と直交する方向に支柱５２から延在しているが、２つの脚部５１、１５１、２５１が支柱５２から延在する方向は、これに限られない。また、脚部５１、１５１、２５１は、支持部材５３に支持されるクロス５５の正面側に配置される正面側脚部５１ａ、１５１ａ、２５１ａの下端と、支持部材５３に支持されるクロス５５の背面側に配置される背面側脚部５１ｂ、１５１ｂ、２５１ｂの下端とは、例えば１つの連続した面で構成されてよい。
【０１０３】
上記実施形態では、支持部材５３の下方において２つの支柱５２を接続する補強部材５４を備えるが、補強部材は無くてよい。上記実施形態では、支持部材５３に支持されるクロス５５の一部を支持部材５３に対して固定する保持部材５６を備えるが、保持部材は無くてよい。上記実施形態では、支持部材５３に支持されるクロス５５の下端部近傍に取り付けられたウエイト５５ａを備えるが、ウエイトは無くてよい。
【０１０４】
また、デスクトップパネルの具体的な形状や、脚部、支柱、支持部材、補強部材、保持部材及びクロスの長さ、幅、形状、材質といったその他の詳細な構成も、本発明の趣旨を逸脱しない範囲で種々変形が可能である。したがって、例えば、１つの脚部と、その脚部から上方に延びる１つの支柱と、その支柱から横方向に延びる支持部材と、支持部材に支持されるクロスを備えたデスクトップパネルであってよい。
【０１０５】
上記第３実施形態では、オプション部材としてのホワイトボード２５５ｂが取付部材２５６により支持部材５３に取り付けられているが、オプション部材は、ホワイトボード２５５ｂ以外の部材であってよい。オプション部材としては、例えばデスクトップパネルのパネルに対応する仕切部材を使用可能である。オプション部材を支持部材に取り付けるための取付部材の構成は、取付部材２５６に限られない。
【０１０６】
上記実施形態では、デスクトップパネル５０を天板２の長手方向に沿って設置して、対向位置に着座する人との間を仕切るために使用されるが、デスクトップパネル５０を、図１５に示すように、天板２の短辺方向に沿って設置して、隣に着座する人との間を仕切るために使用されてよい。
【０１０７】
上記実施形態では、２つのデスクトップパネル５０が天板２の長手方向に離れて配置されるが、２つのデスクトップパネル５０は、図１６に示すように、天板２の長手方向に隙間が形成されないように配置されてよい。この場合、デスクトップパネル５０では、脚部５１が支柱５２より外側に配置されており、２つのデスクトップパネル５０の間であり且つ脚部５１より上方には、隙間が形成される。したがって、図１６において、２点鎖線で示すように、天板２の長手方向に離れて配置された２つのデスクトップパネル５０の間に、デスクトップパネル５０を天板２の短辺方向に沿って設置して、対向位置に着座する人との間を仕切ると共に、隣に着座する人との間を仕切るために使用されてよい。
【符号の説明】
【０１０８】
２  天板
３  配線誘導機構
３ａ  配線ダクト
３ｂ  開閉蓋
５  開口
５０、１５０、２５０  デスクトップパネル
５０Ａ  枠形状部
５１、１５１、２５１  脚部
５１Ａ、１５１Ａ、２５１Ａ  下向き開口部
５１ａ、１５１ａ、２５１ａ  正面側脚部
５１ｂ、１５１ｂ、２５１ｂ  背面側脚部
５２  支柱
５３  支持部材
５４  補強部材
５５  クロス
５５ａ  ウエイト
５６  保持部材
１６１ａ  正面側係止部
１６１ｂ  背面側係止部
２５５ａ  クロス
２５５ｂ  ホワイトボード（オプション部材）
２５６  取付部材
【図１】
2020062331.tif 000003
【図２】
2020062331.tif 000004
【図３】
2020062331.tif 000005
【図４】
2020062331.tif 000006
【図５】
2020062331.tif 000007
【図６】
2020062331.tif 000008
【図７】
2020062331.tif 000009
【図８】
2020062331.tif 000010
【図９】
2020062331.tif 000011
【図１０】
2020062331.tif 000012
【図１１】
2020062331.tif 000013
【図１２】
2020062331.tif 000014
【図１３】
2020062331.tif 000015
【図１４】
2020062331.tif 000016
【図１５】
2020062331.tif 000017
【図１６】
2020062331.tif 000018